(57)【要約】  電気アイロン（１２）を保持するクレードル（１０）が直立基板（１４）を有しており、使用時には該直立基板に電気アイロンの底板（４９）が対面する。支持板（１６）が直立基板の下端の一側部から外方に延在し電気アイロンのヒール（５１）を支持する。第１・２の側部フランジ（１８、２０）が直立基板の両側部から外方に延在している。第１・２の側部フランジの相互に離間して側部開口を画定している。直立基板と支持板と側部フランジとの組合せは電気アイロンのための保持房を画定している。第１・２の側部フランジは内方に相互に傾斜して電気アイロンの楔形に対応し、かつクレードルの側部開口からの電気アイロンの離脱を防止する。直立基板と第１・２の側部フランジとは上方に延在して上部開口を画定している。該開口は充分な高さにあり、クレードルの上部開口から電気アイロンを離脱させるには、電気アイロンをクレードル内から少なくともその全高を持ち上げることが必要である。
2007530178.tif 000002
【特許請求の範囲】
【請求項１】
直立基板と支持板とを有しており、使用時には電気アイロンの底板が直立基板に対面関係になり、支持板は直立基板の下端の一側部から外方に延在して電気アイロンのヒールを支持し、第１・２の側部フランジが直立基板の両側部から外方に延在してかつそれらの自由端は相互に離間して側部開口を画定しており、直立基板と支持板と第１・２の側部フランジの組合せが電気アイロンの保持房を画定しており、第１・２の側部フランジが内方に相互に向けて傾斜していて電気アイロンの楔型に対応しており、これによりクレードルの側部開口からの電気アイロンの離脱を防止しており、直立基板と第１・２の側部フランジが上方に延在して上部開口を画定しており、該開口は充分な高さにあり、クレードルの上部開口から電気アイロンを除去するには、クレードル内から電気アイロンを少なくともその全高だけ持ち上げることを必要としていることを特徴とする電気アイロンを保持するクレードル。
【請求項２】
ラックが一方の側部フランジと一体に連結されてその周りに電気アイロンのコードが巻き付けられることを特徴とする請求項１に記載のクレードル。
【請求項３】
第１・２の側部フランジがそれぞれの上端において外方に開いており、これにより上部開口が支持板より広いことを特徴とする請求項１に記載のクレードル。
【請求項４】
第１・２の側部フランジのそれぞれの自由端が支持板から上部開口への方向に発散しており、側部開口がその上端において下端におけるよりも広いことを特徴とする請求項１に記載のクレードル。
【請求項５】
直立基板が平壁部分と畝部分とを有しており、該これらが保持房内に突出して電気アイロンの底板を平壁部分から分離していることを特徴とする請求項１に記載のクレードル。
【請求項６】
請求項１に記載のクレードルとそのための取付けアダプターを有していることを特徴とする電気アイロン支持ユニット。
【請求項７】
取付けアダプターが基部と上方段部とを有しており、上方段部がクレードルの支持板の下側の中空スカート部分に係合することを特徴とする請求項６に記載のユニット。
【請求項８】
上方段部がその側壁に貫通形成された長孔を有しており、クレードルを取付けアダプターに取り付けるべく中空スカート部分がそれぞれの長孔に係合する歯を有していることを特徴とする請求項７に記載のユニット。
【請求項９】
スカート部分を段部上に位置させるべく中空スカート部分が上方段部よりも広く、クレードルが取付けアダプター上を歯を長孔に係合させる方向に滑動することを特徴とする請求項８に記載のユニット。
【請求項１０】
取付けアダプターが捕捉手段を有しており、歯が長孔に係合したときに該捕捉手段が中空スカート部分の壁に当接し、これによりクレードルが取付けアダプター上を歯の長孔からの離脱を可能とする方向に滑動するのを防止することを特徴とする請求項８に記載のユニット。
【発明の詳細な説明】
【技術分野】
【０００１】
この発明は電気アイロンを保持するためのクレードルおよびクレードルのための取付けアダプターに関するものである。
【背景技術】
【０００２】
熱い電気アイロンは使用後または使用中の中断時に適正に置かれない場合にはしばしば火災の結果個人の熱傷または財産の損害の元となる。
【０００３】
家事を行う人は育児や電話の応答または炊事などの他の家事を行っているときに熱い電気アイロンを不注意に放置することがある。幼児やペットが電気アイロンへのコードに引っ掛かると電気アイロンを引っくり返してしまい、熱い電気アイロンの表面が可燃性の面に接触したり、皮膚を炙ることになる。幼児が熱い電気アイロンを握ることもあり、手や指が火傷することになる。
【０００４】
アメリカ特許第２，５１４，４００号には電気アイロンホルダーが開示されており、このホルダーは直立基板と支持板と支持板の両側の保持フランジとを有しており、該フランジは電気アイロンに滑動可能に係合しかつ支持板に対して電気アイロンを保持する。これにより不使用時や加熱時に安全な位置決めを行うようになっている。
【特許文献１】アメリカ特許第２，５１４，４００号
【０００５】
ホルダー内に支持されたときに保持フランジは電気アイロンの全高には延在していないので、幼児が指をホルダーの側から熱い電気アイロンの表面に置くことができる。
【０００６】
アメリカ特許第２，４８６，４４８号には電気アイロンホルダーが開示されており、直立基板とストッパーと両側のフランジを有しており、該フランジは電気アイロンに滑動可能に係合して保持する。電気アイロンはその先端が最も低くなるようにホルダー上に配置される。側部フランジはホルダー中に支持されたときに電気アイロンの全高には延在していない。これによりホルダーの側から幼児により接触され易い。かつ電気アイロンの先端が露出されているので下側からの接触もある。また側部フランジがホルダー中の電気アイロンの高さに比べて比較的低いので、幼児がホルダー中の電気アイロンのハンドルを握って持ち上げることもある。
【特許文献２】アメリカ特許第２，４８６，４４８号
【０００７】
アメリカ特許第２，３１１，９７４号、２，５２９，１３２号には電気アイロンホルダーが開示されているが、電気アイロンに比べてフランジの高さが小さいので上記と同じような問題を抱えている。
【特許文献３】アメリカ特許第２，３１１，９７４号
【特許文献４】アメリカ特許第２，５２９，１３２号
【発明の開示】
【発明が解決しようとする課題】
【０００８】
この発明の目的は、使用後または使用中の中断時でまだ熱いときに電気アイロンを保持するクレードルを提供することにあり、使用者が熱い電気アイロンの表面が安全に隠されてまたは幼児の手や可燃製の表面にアクセスできないと安心できるようにすることにある。
【０００９】
この発明の他の目的は、クレードルから離れる前にほぼ全高だけ支持板から電気アイロンを持ち上げ、それにより幼児にとってのクレードルから電気アイロンを除く作業を上記した従来技術の場合よりも困難にする電気アイロンクレードルを提供することにある。
【００１０】
この発明のさらに他の目的は、クレードルと取付けアダプターとを有した電気アイロン用の支持ユニットを提供することにある。
【課題を解決するための手段】
【００１１】
この発明によれば、電気アイロンを保持するためのクレードルが直立基板を有しており、使用時にはこれに電気アイロンの底板が対面関係になる。さらに支持板が直立基板の下端の一方側から外方に延在して電気アイロンのヒールを支持する。直立基板の両側からは第１・２の側部フランジが外方に延在して、それぞれの自由端は相互に離間して側部開口を画定している。直立基板と支持板と第１・２の側部フランジの組合せは電気アイロンの保持房を画定しており、第１・２の側部フランジは相互に内側に傾斜していて、電気アイロンの楔形にほぼ対応して、クレードルの側部開口からの電気アイロンの除去を防止している。直立基板と第１・２の側部フランジは上方に延在して上部開口を画定し、該開口は充分な高さにあり、クレードルの上部開口から電気アイロンを除去するには、クレードル内から電気アイロンを少なくともその全高だけ持ち上げることを必要としている。
【００１２】
望ましくは、クレードルは一方の側部フランジに一体に結合されたラックを有しており、その周りに電気アイロンのコードが巻きつけられる。
【００１３】
望ましくは、第１・２の側部フランジはそれぞれの上端において外方に開いて、上部開口が支持板より広くなっている。
【００１４】
好ましき実施例においては、第１・２の側部フランジのそれぞれの自由端が支持板から上部開口の方向に発散しており、側部開口が上端において下端よりも広くなっている。
【００１５】
望ましくは、直立基板が平壁部分と畝部分とを有しており、該畝部分は保持房内に突出して電気アイロンの底板を平壁部分から分離している。
【００１６】
この発明の他の技術思想においては、電気アイロンのための支持ユニットがクレードルと取付けアダプターとを有している。
【００１７】
望ましくは、取付けアダプターが基部と上方段部とを有しており、上方段部はクレードルの支持板の下側で中空スカート部分と係合する。
【００１８】
望ましくは、上方段部がその側壁に形成された長孔を有しており、中空スカート部分がそれぞれ長孔に係合してクレードルを取付けアダプターに取り付ける歯を有している。
【００１９】
好ましき実施例においては、中空スカート部分が上方段部よりも広く、スカート部分を段部上に位置させて、クレードルが歯を長孔に係合させる方向に取付けアダプター上を滑動する。
【００２０】
望ましくは取付けアダプターが捕捉手段を有しており、歯が長孔に係合したときにこの捕捉手段が中空スカート部分の壁に当接して、歯を長孔から離脱させる方向にクレードルが取付けアダプター上を滑動するのを防止する。
【００２１】
望ましくは、取付けアダプターが押圧パネルを有しており、捕捉手段がそこから上方に突出し、下向きの圧力が掛ると押圧パネルが下方に可撓軸転し、捕捉手段がスカート部分の壁にもはや当接せず、クレードルが取付けアダプター上を歯を長孔から離脱させる方向に滑動できる。
【実施例】
【００２２】
図示した電気アイロンクレードル１０は不飽和ポリエステル樹脂に基づいたガラス繊維強化熱硬化性材料を一体射出成形したものである。クレードル１０の高さはその中に支えられ、または保持される電気アイロン１２のそれよりも若干大きい。クレードル１０は直立基板１４、直立基板１４の下端一側部から外方に延在している支持板１６、直立基板１４の両側部から外方に延在している第１・２の側部フランジ１８、２０を有している。
【００２３】
第１・２の側部フランジ１８、２０の自由端はそれぞれ相互から離間して側部開口を画定している。直立基板と第１・２の側部フランジは上方に延在して上部開口を画定している。第１・２の側部フランジは内方相互に傾斜していて電気アイロンの楔形に対応しており、これによりクレードルの側部開口から電気アイロンが離脱するのを防止している。
【００２４】
直立基板と支持板と第１・２の側部フランジの組合せは電気アイロンのための保持房を画定している。上部開口は充分な高さにあり、電気アイロンをクレードルの上部開口から離脱させるには少なくともその全高だけクレードル内から持ち上げることを必要にしている。
【００２５】
ラック２１が側部フランジ２０の一側部に一体に結合されており、電気アイロンのコードをそれに巻き付ける。
【００２６】
各側部フランジ１８、２０はそれぞれその上端が外方に開いており、上部開口は支持板１６より広くなっている。第１・２の側部フランジの各自由端は支持板から上部開口の方向に発散しており、これにより側部開口は上端において下端よりも広くなっている。
【００２７】
直立基板１４は平壁部分２６と畝部分２８とを有している。畝部分は保持房内に突出して電気アイロンの底板を平壁部分の表面から分離している。
【００２８】
クレードル１０の全高はそのなかに保持された電気アイロン１２の高さよりも若干大きく、熱い電気アイロンの表面または底板が幼児の手または可燃性の表面に対して隠蔽またはアクセス不可能に安全になっている。
【００２９】
吊下げフック、ネジなどのための孔３０が直立基板１４に形成されていて、クレードル１０が一時的にまたは永久に電気アイロンテーブル近くの例えば壁やドアに固定できるようになっている。クレードル１０はこれに代えて、電気アイロンテーブルそのものに取り付けてもよい。または何にも取り付けしないで押入れなどの収納場所に自由に起立してもよい。
【００３０】
同様な孔を支持板１６に貫通形成して、クレードル１０を例えばテーブルや棚の表面に永久的に固定してもよい。しかしクレードル１０は電気アイロンの支持ユニットを形成する取付けアダプターに取り外し可能に取り付けてもよい。
【００３１】
取付けアダプター３２はクレードル１０と同様な材料からできており、基部３４と上方段部３６とを有している。段部はクレードルの支持板の下側で中空スカート部分３８と係合するものである。
【００３２】
上方段部は側壁に形成された長孔４０を有しており、中空スカート部分は歯４２を有しており、これが各長孔と係合してクレードルを取付けアダプターに取り付ける。
【００３３】
中空スカート部分３８は上方段部３６より広く、スカート部分が段部の上に位置できる。そのように位置したとき、クレードルは取付けアダプター上に歯を長孔と係合させる方向に滑動できる。
【００３４】
取付けアダプターはまた、好ましくは突起４４のようなスロープ形状の捕捉手段を有しており、歯が長孔と係合すると、該突起が中空スカート部分の壁に当接する。かくしてクレードルは取付けアダプター上での歯を長孔から離脱させる方向の滑動が防止される。
【００３５】
取付けアダプターおよび上方に突出する突起４４のようなスロープが組み込まれている押圧パネル４６がある。この押圧パネル４６は下方圧力が掛かると下方に可撓的に軸転する。そのように動くと、突起はもはやスカート部分の壁に当接せず、クレードルは歯を長孔から離脱させる方向に取付けアダプター上を滑動できる。かくしてクレードルは取付けアダプターから離脱できる。
【００３６】
ネジなどを収受する孔４８が取付けアダプター３２の基部３４に貫通形成されており、これにより取付けアダプターが例えば電気アイロンテーブルの水平面に固定される。これに代えて取付けアダプターは表面に固定されずに、電気アイロンテーブルに取外し可能に支持されるか、電気アイロンテーブルの一側部に連結されてもよい。
【００３７】
使用時には、ヒールを挿入した後クレードル１０の上方から直立基板１４と側部フランジ１８、２０により画定される上部開口を通って電気アイロン１２はクレードル１０中に保持され、ついで支持板１６上に支持される。電気アイロン１２の底板４９は直立基板１４に対面し、電気アイロン１２のヒール５１は支持板１６上に支持される。
【００３８】
第１・２の側部フランジ１８、２０は相互内方に傾斜しており、クレードル１０から電気アイロン１２が側方に離脱するのを防止している。でないと幼児が電気アイロンのハンドルを握ってクレードルから引っ張り出そうとしたり電気アイロンが倒されたりすると離脱が起きる。
【００３９】
電気アイロン１２を通常にクレードル１０内から引き出すには、側部フランジ１８、２０間で側部開口から突出する電気アイロンのハンドル５０を握って、電気アイロン１２を上方にクレードル１０から離れる前の全高を越えて持ち上げる。これにより幼児がクレードル１０から電気アイロン１２を離脱させるのを難しくしている。
【００４０】
一旦電気アイロン１２がクレードル１０内に保持されたら、電気アイロンのコードはラック２１に巻きつけられる。
【産業上の利用可能性】
【００４１】
この発明はアイロン製造産業において広く利用される。
【図面の簡単な説明】
【００４２】
【図１】この発明の好ましき電気アイロンクレードルの前面図である。
【図２】図１のクレードルと係合する好ましき取付けアダプターの前面図である。
【図３】図１のクレードルの側面図である。
【図４】図２の取付けアダプターの側面図である。
【図５】図１のクレードルが図２の取付けアダプターから離脱した状態でのこの発明の電気アイロン支持ユニットの斜視図である。
【図６】図５の電気アイロン支持ユニットの斜視図である。
【図７】図２の取付けアダプターに係合した図１のクレードルの平面図である。
【図８】電気アイロンを支持している図７の電気アイロン支持ユニットの前面図である。
【図９】図８の電気アイロンと一緒に示した電気アイロン支持ユニットの平面図である。
【図１０】図８、９の電気アイロンと一緒に示した電気アイロン支持ユニットの側面図である。
【符号の説明】
【００４３】
１０：  クレードル
１２：  電気アイロン
１４：  直立基板
１６：  支持板
１８、２０：  側部フランジ
３２：  取付けアダプター
【図１】
2007530178.tif 000003
【図２】
2007530178.tif 000004
【図３】
2007530178.tif 000005
【図４】
2007530178.tif 000006
【図５】
2007530178.tif 000007
【図６】
2007530178.tif 000008
【図７】
2007530178.tif 000009
【図８】
2007530178.tif 000010
【図９】
2007530178.tif 000011
【図１０】
2007530178.tif 000012
【国際調査報告】
2007530178.tif 000013
2007530178.tif 000014